(57)【要約】【課題】パンツとしてもおむつとしても利用可能であり、着用時の上げ下げが容易であり、着用者の体形へのフィット性の向上が図れる使い捨てパンツを提供する。【解決手段】この使い捨てパンツ１は、パンツ及びおむつの両機能を併有するものであり、左右の破断部１７ａ，１７ｂを破断することにより、左前腹部２ａ及び右前腹部２ｂを左右に展開できる。左前腹部２ａ及び右前腹部２ｂには、中前腹部２ｃの付着部２３に着脱される付着片２２ａ，２２ｂが設けられる。各付着片２２ａ，２２ｂには、上下に２股に分かれた２個の張出し部２５，２６が設けられる。各付着片２２ａ，２２ｂの本体部２４には、張出し部２５，２６の中間位置に左右方向に延びる切込み３０が設けられ、張出し部２５，２６の止着位置の自由度等が拡大されている。【選択図】図１
2006034402.tif 000002
【特許請求の範囲】
【請求項１】
略環状に連なる前腹部及び後背部と、その前腹部及び後背部間に連なって設けられる股部とを備え、前記股部に吸収体が設けられ、前記前腹部における前記股部が連なる部分の左右両側に前記前腹部を破断すための左右の破断部が形成された使い捨てパンツであって、
前記前腹部の外面側における前記左右の破断部の間に位置する中間領域内の少なくとも一部に、第１付着部を設け、
前記前腹部における前記左右の破断部よりも左右方向外方側の部分に接合された左右の付着片を設け、
前記左右の付着片に、前記第１付着部に対して着脱される第２付着部をそれぞれ設け、
前記各付着片の少なくとも自由端側の部分が、分割ラインによって複数の部分に分割可能とされていることを特徴とする使い捨てパンツ。
【請求項２】
請求項１に記載の使い捨てパンツにおいて、
前記分割ラインは切込みであることを特徴とする使い捨てパンツ。
【請求項３】
請求項１に記載の使い捨てパンツにおいて、
前記分割ラインはミシン目であることを特徴とする使い捨てパンツ。
【請求項４】
請求項１ないし３のいずれかに記載の使い捨てパンツにおいて、
前記各付着片は、
前記前腹部に接合される本体部と、
その本体部から上下に二股に分かれて前記自由端側に延設された２個の張出し部と、
を備え、
前記第２付着部は、前記各付着片における少なくとも前記各張出し部に設けられ、
前記分割ラインは、前記各付着片の前記本体部における前記張出し部間の略中間位置に設けられていることを特徴とする使い捨てパンツ。
【請求項５】
請求項１ないし４のいずれかに記載の使い捨てパンツにおいて、
前記第１付着部は、
前記中間領域内において、横幅が前記左右の破断部間の間隔以下で、縦幅が前記左右の付着片の縦寸法とほぼ等しい形成領域に略面状に連続的に設けられていることを特徴とする使い捨てパンツ。
【請求項６】
略環状に連なる前腹部及び後背部と、その前腹部及び後背部間に連なって設けられる股部とを備え、前記股部に吸収体が設けられ、前記前腹部における前記股部が連なる部分の左右両側に前記前腹部を破断すための左右の破断部が形成された使い捨てパンツであって、
前記前腹部の外面側における前記左右の破断部の間に位置する中間領域内の少なくとも一部に、第１付着部を設け、
前記前腹部における前記左右の破断部よりも左右方向外方側の部分に接合された左右の付着片を設け、
前記左右の付着片に、前記第１付着部に対して着脱される第２付着部をそれぞれ設け、
前記左の付着片を上下に位置をずらせて複数設けるとともに、前記右の付着片を上下に位置をずらせて複数設けることを特徴とする使い捨てパンツ。
【請求項７】
請求項６に記載の使い捨てパンツにおいて、
前記左の付着片は上下に間隔をあけて２個設けられ、
前記右の付着片は上下に間隔をあけて２個設けられ、
前記第１付着部は、
前記中間領域内において、横幅が前記左右の破断部間の間隔以下で、縦幅が上側の前左の付着片又は前記右の付着片の上端と下側の前記左の付着片又は前記右の付着片の下端との間の幅寸法とほぼ等しい形成領域に略面状に連続的に設けられていることを特徴とする使い捨てパンツ。
【請求項８】
請求項１なしい７のいずれかに記載の使い捨てパンツにおいて、
前記前腹部の前記中間領域以外の部分及び前記後背部の腰回りの部分に、弾性伸縮手段を設けることを特徴とする使い捨てパンツ。
【発明の詳細な説明】
【技術分野】
【０００１】
本発明は、パンツとしてもおむつとしても利用可能な使い捨てパンツに関する。
【背景技術】
【０００２】
この種の従来の使い捨てパンツとしては、特許文献１に記載の技術がある。この特許文献１に記載のパンツでは、前身頃の左右両側に切断線を設け、その切断線の部分で前身頃を切り離し可能とするとともに、前身頃及び後身頃の左右の接合部に接合された付着片を設けている。そして、切断線により前身頃を切り離した際に、左右の付着片により前身頃と後身頃との締結を行うようになっている。
【０００３】
また、従来の使い捨ておむつとしては、特許文献２に記載の技術がある。この特許文献２に記載のおむつでは、後身頃の左右両側に、上下に２個の締結手段を有するファスニングテープをそれぞれ設け、そのファスニングテープにおける上下の締結手段の中間位置に切込みを設けている。
【０００４】
【特許文献１】特開平５−３１７３５６号公報
【特許文献２】特開２００４−５７５４１号公報
【発明の開示】
【発明が解決しようとする課題】
【０００５】
しかし、前記特許文献１に記載のパンツでは、付着片が左右に１個ずつしか設けられていなため、付着片によるパンツの固定を行う際の固定態様の自由度が小さく、着用時のパンツの形状や締め付け力を微妙に調節してパンツを着用者の体形にフィットさせるのが困難な場合がある。
【０００６】
また、前記特許文献２に記載のおむつでは、ファスニングテープに２個の締結手段を設けたことにより、着用者の体形へのフィット性は向上されているが、おむつであるため、伸縮性に乏しく、パンツのように容易に上げ下げできない。
【０００７】
そこで、本発明の解決すべき課題は、パンツとしてもおむつとしても利用可能であり、着用時の上げ下げが容易であり、着用者の体形へのフィット性の向上が図れる使い捨てパンツを提供することである。
【課題を解決するための手段】
【０００８】
上記の課題を解決するため、請求項１の発明では、略環状に連なる前腹部及び後背部と、その前腹部及び後背部間に連なって設けられる股部とを備え、前記股部に吸収体が設けられ、前記前腹部における前記股部が連なる部分の左右両側に前記前腹部を破断すための左右の破断部が形成された使い捨てパンツであって、前記前腹部の外面側における前記左右の破断部の間に位置する中間領域内の少なくとも一部に、第１付着部を設け、前記前腹部における前記左右の破断部よりも左右方向外方側の部分に接合された左右の付着片を設け、前記左右の付着片に、前記第１付着部に対して着脱される第２付着部をそれぞれ設け、前記各付着片の少なくとも自由端側の部分が、分割ラインによって複数の部分に分割可能とされている。
【０００９】
また、請求項２の発明では、請求項１の発明に係る使い捨てパンツにおいて、前記分割ラインは切込みである。
【００１０】
また、請求項３の発明では、請求項１の発明に係る使い捨てパンツにおいて、前記分割ラインはミシン目である。
【００１１】
また、請求項４の発明では、請求項１ないし３のいずれかの発明に係る使い捨てパンツにおいて、前記各付着片は、前記前腹部に接合される本体部と、その本体部から上下に二股に分かれて前記自由端側に延設された２個の張出し部とを備え、前記第２付着部は、前記各付着片における少なくとも前記各張出し部に設けられ、前記分割ラインは、前記各付着片の前記本体部における前記張出し部間の略中間位置に設けられている。
【００１２】
また、請求項５の発明では、請求項１ないし４のいずれかの発明に係る使い捨てパンツにおいて、前記第１付着部は、前記中間領域内において、横幅が前記左右の破断部間の間隔以下で、縦幅が前記左右の付着片の縦寸法とほぼ等しい形成領域に略面状に連続的に設けられている。
【００１３】
また、請求項６の発明では、略環状に連なる前腹部及び後背部と、その前腹部及び後背部間に連なって設けられる股部とを備え、前記股部に吸収体が設けられ、前記前腹部における前記股部が連なる部分の左右両側に前記前腹部を破断すための左右の破断部が形成された使い捨てパンツであって、前記前腹部の外面側における前記左右の破断部の間に位置する中間領域内の少なくとも一部に、第１付着部を設け、前記前腹部における前記左右の破断部よりも左右方向外方側の部分に接合された左右の付着片を設け、前記左右の付着片に、前記第１付着部に対して着脱される第２付着部をそれぞれ設け、前記左の付着片を上下に位置をずらせて複数設けるとともに、前記右の付着片を上下に位置をずらせて複数設ける。
【００１４】
また、請求項７の発明では、請求項６の発明に係る使い捨てパンツにおいて、前記左の付着片は上下に間隔をあけて２個設けられ、前記右の付着片は上下に間隔をあけて２個設けられ、前記第１付着部は、前記中間領域内において、横幅が前記左右の破断部間の間隔以下で、縦幅が上側の前左の付着片又は前記右の付着片の上端と下側の前記左の付着片又は前記右の付着片の下端との間の幅寸法とほぼ等しい形成領域に略面状に連続的に設けられている。
【００１５】
また、請求項８の発明では、請求項１なしい７のいずれかの発明に係る使い捨てパンツにおいて、前記前腹部の前記中間領域以外の部分及び前記後背部の腰回りの部分に、弾性伸縮手段を設ける。
【発明の効果】
【００１６】
請求項１に記載の発明に係る使い捨てパンツは、パンツ、おむつの両機能を併有しているため、着用時の上げ下げが容易である。
【００１７】
また、左右の付着片の少なくとも自由端側の部分を分割ラインによって複数の部分に分割できるため、着用時に付着片の分割された部分を有効に利用してパンツの止着を行うことにより、パンツの形状や各部の締め付け力を着用者の体形に応じて微妙に調節することができ、着用者の体形へのフィット性の向上が図れる。
【００１８】
請求項２に記載の発明によれば、左右の付着片の少なくとも自由端部側の部分が切込みによって予め複数部分に分割されているため、止着時にユーザがわざわざ分割ラインの破断作業等を行う必要がなく、止着作業が容易に行える。
【００１９】
請求項３に記載の発明によれば、使い捨てパンツの使用時に、ユーザが付着片のミシン目を破断するか否かを選択することができ、ユーザの要求に幅広く対応することができる。
【００２０】
請求項４に記載の発明によれば、左右の付着片に上下に２股に分かれた２個の張出し部が設けられているため、その２個の張出し部を有効に利用してパンツの止着を行うことにより、パンツの形状や各部の締め付け力を着用者の体形に応じて微妙に調節することができ、着用者の体形へのフィット性の向上が図れる。
【００２１】
また、分割ラインにより各付着片の本体部の少なくとも一部を分割することにより、各付着片における各張出し部の止着時の自由度をより拡大することができ、その結果、着用者の体形へのフィット性のさらなる向上が図れる。
【００２２】
請求項５に記載の発明によれば、第１付着部が前腹部の中間領域内における形成領域内に略面状に連続的に設けられているため、左右の付着片を形成領域内の任意の位置に付着させることができ、止着の態様の自由度が高い。
【００２３】
また、第１付着部を形成する形成領域の縦幅を左右の付着片の縦寸法とほぼ等しく設定しているため、第１付着部を必要かつ十分な範囲に形成することができ、第１付着部を形成するためのコストを抑制することができる。
【００２４】
請求項６に記載の発明に係る使い捨てパンツは、パンツ、おむつの両機能を併有しているため、着用時の上げ下げが容易である。
【００２５】
また、左の付着片を上下に位置をずらせて複数設けるとともに、右の付着片を上下に位置をずらせて複数設ける構成であるため、それらの左右の付着片を有効に利用してパンツの止着を行うことにより、パンツの形状や各部の締め付け力を着用者の体形に応じて微妙に調節することができ、着用者の体形へのフィット性の向上が図れる。
【００２６】
請求項７に記載の発明によれば、第１付着部が前腹部の中間領域内における形成領域内に略面状に連続的に設けられているため、左右の付着片を形成領域内の任意の位置に付着させることができ、止着の態様の自由度が高い。
【００２７】
また、第１付着部を形成する形成領域の縦幅を、上側の左の付着片又は右の付着片の上端と下側の左の付着片又は右の付着片の下端との間の幅寸法とほぼ等しく設定しているため、第１付着部を必要かつ十分な範囲に形成することができ、第１付着部を形成するためのコストを抑制することができる。
【００２８】
請求項８に記載の発明によれば、使い捨てパンツの腰回りの部分を容易に伸縮させることができるため、左右の付着片を第１付着片に付着させたまま状態で、使い捨てパンツの上げ下げを容易に行うことができる。
【発明を実施するための最良の形態】
【００２９】
＜第１実施形態＞
＜概略説明＞
図１ないし図８を参照して、本発明の第１実施形態に係る使い捨てパンツ１について説明する。この使い捨てパンツ１は、図１ないし図８に示すように、略環状に連なる前腹部２及び後背部３と、その前腹部２及び後背部３間に連なって設けられる股部４とを備えて構成され、パンツとしてもおむつとしても利用可能となっている。なお、この使い捨てパンツ１の説明において、左及び右とは着用者から見て左手側及び右手側を指すものとする。
【００３０】
前腹部２及び後背部３とは、この使い捨てパンツ１における主に着用者の前腹部及び後背部に面する部分を指す。前腹部２の左右の縁部と後背部３の左右の縁部とは互いに接合され、これによって前腹部２と後背部３とは略環状に連なっている。このため、使い捨てパンツ１の左右の縁部には、前腹部２の左右の縁部と後背部３の左右の縁部とを接合する左サイド接合部１１ａ及び右サイド接合部１１ｂが形成されている。このサイド接合部１１ａ，１１ｂでの接合は、接着剤、例えばホットメルト接着剤による接着と超音波溶着（あるいは、加熱溶着）とのいずれか一方、又はその両方の併用により行われる。
【００３１】
股部４とは、この使い捨てパンツ１における主に着用者の股部に面する部分を指し、その前股部４ａ及び後股部４ｂがそれぞれ前腹部２及び後背部３にそれぞれ連なっている。本実施形態では、股部４の前股部４ａ及び後股部４ｂが前腹部２及び後背部３に接着剤、例えばホットメルト接着剤により接合されている。なお、変形例として、股部４を前腹部２及び後背部３の一方又は両方と連続した部材により一体に形成してもよい。
【００３２】
このように略環状に連なった前腹部２及び後背部３の上縁部１２，１３によりウエスト開口部Ｑが形成されている。前腹部２の左前腹部２ａの下縁部１４ａ、後背部３の左斜め下の傾斜状の縁部１５ａ、及び股部４の左縁部１６ａにより左脚開口部Ｒａが形成されている。前腹部２の右前腹部２ｂの下縁部１４ｂ、後背部３の右斜め下の傾斜状の縁部１５ｂ、及び股部４の右縁部１６ｂにより右脚開口部Ｒｂが形成されている。
【００３３】
＜前腹部＞
前腹部２は、図１に示すように、全体形状としては平面視略横長矩形状であり、左前腹部２ａ、右前腹部２ｂ、及びそれらの中間に位置する中前腹部２ｃを備えている。中前腹部２ｃは本発明の中間領域に相当している。左前腹部２ａと中前腹部２ｃとの間には、前腹部２を上下に縦断する左破断部１７ａが形成され、右前腹部２ｂと中前腹部２ｃとの間には、前腹部２を上下に縦断する右破断部１７ｂが形成されている。中前腹部２ｃには、図７に示すように、股部４の前股部４ａとの接合部分１８が形成される。接合部分１８での接合は、接着剤、例えばホットメルト接着剤を用いて行われる。破断部１７ａ，１７ｂは、図２に示すように、ミシン目により形成され、この破断部１７ａ，１７ｂを破断することにより、図３ないし図６に示すように、前腹部２を破断部１７ａ，１７ｂの部分で切り離せるようになっている。ここで、破断部１７ａ，１７ｂは、図２に示すように直線状に形成してもよいし、必要に応じて曲線状に形成してもよい。
【００３４】
左前腹部２ａ及び右前腹部２ｂの上縁部１２ａ，１２ｂには、ウエスト用弾性部材１９ａ，１９ｂが左右方向に伸張された状態で取り付けられている。左前腹部２ａ及び右前腹部２ｂの下縁部１４ａ，１４ｂには脚用弾性部材２０ａ，２０ｂが左右方向に伸張された状態で取り付けられている。左前腹部２ａ及び右前腹部２ｂの上縁部１２ａ，１２ｂと下縁部１４ａ，１４ｂとの間の部分には、ボディ用弾性部材２１ａ，２１ｂが左右方向に伸張された状態で取り付けられている。これらの弾性部材１９ａ，１９ｂ，２０ａ，２０ｂ，２１ａ，２１ｂの収縮・伸張により前腹部２（特に、左前腹部２ａ及び右前腹部２ｂ）が着用者の腹部に沿うように柔らかくフィットすることができる。
【００３５】
このような前腹部２は、図７に示すように、肌面側の内層シート５７と、外側の外層シート５８との間に弾性部材１９ａ，１９ｂ，２０ａ，２０ｂ，２１ａ，２１ｂを挟み込んで構成されている。
【００３６】
左前腹部２ａ及び右前腹部２ｂの外面側における中前腹部２ｃ側の端部には、略シート状の左付着片２２ａ及び右付着片２２ｂが接着剤、例えばホットメルト接着剤により接合されている。この付着片２２ａ，２２ｂは、破断部１７ａ，１７ｂを破断した際に、このパンツ１の止着のために用いられるものであり、前腹部２の外面側において、左右の破断部１７ａ，１７ｂを跨ぐように設けられている。中前腹部２ｃの外面側には、付着片２２ａ，２２ｂを付着させるための第１付着部に相当する付着部２３が設けられている。この付着部２３は、所定の形成領域Ａ１内に連続的に面状に形成されている。この形成領域Ａ１の横幅Ｗ１は、図４に示すように、左右の破断部１７ａ，１７ｂ間の間隔Ｄ（すなわち、中前腹部２ｃの横寸法）以下に設定され、その縦幅Ｗ２は、付着片２２ａ，２２ｂの縦寸法Ｌ１とほぼ等しく設定されている。
【００３７】
付着片２２ａ，２２ｂは、略縦長帯状の本体部２４と、その本体部２４から上下に二股に分かれてその自由端側に向けて延設された２個の張出し部２５，２６とをそれぞれ有している。本体部２４の左右方向外方側端部は、図７に示すように、接着剤６６、例えばホットメルト接着剤により、左前腹部２ａ及び右前腹部２ｂにおける破断部１７ａ，１７ｂ側の端部に接合されている。
【００３８】
付着片２２ａ，２２ｂの各張出し部２５，２６の中前腹部２ｃに面する側の面（内面側）には、付着部２７，２８がそれぞれ設けられ、本体部２４の内面側にも付着部２９が設けられている。これらの付着部２７〜２９は、第２付着部に相当するものであり、中前腹部２ｃに設けられた付着部２３に対して着脱自在に付着するようになっている。
【００３９】
付着部２３の具体例としては、表面に微細なループ構造が密に形成された不織布、織布、編み物等を有するループ材が考えられ、付着部２７〜２９の具体例としては、そのループ材に着脱自在に係合する微細なフック構造が表面に密に形成されたフック材が考えられる。さらに具体的には、付着部２３としては、例えば、面ファスナーのループ材として好適に用いられる不織布、織布等を表面に有するプラスチックフィルム複合材が用いられる。付着部２７〜２９としては、面ファスナーのフック材として好適に用いられる表面に密に形成されたピンを有するプラスチックフィルムが用いられる。あるいは、ループ材を別部材として中前腹部２ｃに貼着するのではなく、中前腹部２ｃの外面側を表面処理してループ材（付着部２３）として機能させるようにしてもよい。
【００４０】
また、付着部２３の他の具体例としては、粘着剤との繰り返し剥離性を有するように表面処理、例えばピーロイル加工されたプラスチックフィルム等が考えられ、付着部２７〜２９の他の具体例としては、繰り返し利用可能な接着剤などが考えられる。
【００４１】
なお、前記の付着部２３及び付着部２７〜２９の前記２つの具体例において、付着部２３側の構成と付着部２７〜２９側の構成を入れ替えてもよい。
【００４２】
また、本実施形態では、各付着片２２ａ，２２ｂの本体部２４における張出し部２５，２６間の中間位置には、分割ラインに相当する切込み３０が設けられている。この切込み３０は、本体部２４の自由端側から左右方向に沿って本体部２４の一部を所定寸法だけ切り込むことにより形成されている。この切込み３０によって、止着時における付着片２２ａ，２２ｂを用いた各張出し部２５，２６の止着位置等の自由度が拡大される。なお、変形例として、切込み３０は、本体部２４を上下に完全に分断するように形成されていてもよく、付着部２９、左前腹部２ａ及び右前腹部２ｂにまで及んでいてもよい。
【００４３】
また、付着片２２ａ，２２ｂの各張出し部２５，２６の先端部は、付着片２２ａ，２２ｂをつまみやすくするために、つまみ部３１（図４参照）となっている。このつまみ部３１には、付着部２７，２８は設けられていない。
【００４４】
このような構成により、右側の付着片２２ｂの張出し部２５，２６をつまんで付着片２２ｂの付着部２７〜２９を付着部２３から引き剥がし、右方向外方に引っ張ると、図３に示すように、右破断部１７ｂが破れて、右前腹部２ｂが付着片２２ｂと一体となって右側に展開する。同様に、左側の付着片２２ａの張出し部２５，２６をつまんで付着片２２ａの付着部２７〜２９を付着部２３から引き剥がし、左方向外方に引っ張ると、図４に示すように、左破断部１７ａが破れて、左前腹部２ａが付着片２２ａと一体となって左側に展開する。このとき、中前腹部２ｃは股部４と接合された状態に保たれ、前股部４ａの外側に残ることになる。
【００４５】
このため、この使い捨てパンツ１は、図１に示すように、破断部１７ａ，１７ｂを破断する前の製品出荷時の状態では、前腹部２と股部４とが接合部分１８によって固定されているため、パンツとして機能し、付着片２２ａ，２２ｂ等の開閉手段のない通常の使い捨てパンツと同様に容易に上げ下げできるようになっている。また、この状態では、仮に付着片２２ａ，２２ｂと付着部２３との係合が外れても、前腹部２と股部４とが別々になってしまうことがない。
【００４６】
また、この使い捨てパンツ１がパンツ状態で着用させている場合において、後述する吸収体４３が排泄物を吸収、保持した場合には、付着片２２ａ，２２ｂの係合を解除して、破断部１７ａ，１７ｂを破断して展開して、パンツ１を着用者から容易に取り除くことができる。この場合、着用者の衣服を脱がさなくとも、パンツ１の取外しができる。
【００４７】
また、装着片２２ａ，２２ｂの係合を解除して破断部１７ａ，１７ｂを破断し、前腹部２を展開して、パンツ１の内部の汚染状況を確認した後、装着片２２ａ，２２ｂを付着部２３に係合させて、パンツ１を元のパンツ状態に戻すことができる。また、このパンツ１と尿取りパット等の補助パットとを併用しているときにも、装着片２２ａ，２２ｂを着脱して補助パットの交換等を容易に行うことができる。
【００４８】
また、着用させる前に、パンツ１を図５に示す状態に展開しておいて着用者の臀部にあてがって、図４、図３、図１の順に閉じてゆくことにより、このパンツ１を通常の使い捨ておむつのように利用することもできる。この場合、着用者の衣服を脱がさなくとも、パンツ１の着用及び取り外しができる。
【００４９】
＜股部＞
股部４は、図５に示すように、全体形状としては展開すると前後方向に延びる略帯状の形態を有し、前股部４ａ、後股部４ｂ、及びそれらの中間に位置する中股部４ｃを備え、主に中股部４ｃを中心として着用者の股間部にあてがわれる。前股部４ａは、図５ないし図７に示すように、中前腹部２ｃの内面側に重ね合わされた状態で接合部分１８によって中前腹部２ｃと接合されている。後股部４ｂは、図５に示すように、後背部３の内面側に重ね合わされた状態で後背部３と接着固定されている。このような股部４の左縁部１６ａ及び右縁部１６ｂには、脚用弾性部材４０ａ，４０ｂが縁部１６ａ，１６ｂの延設方向に伸張された状態で取り付けられている。
【００５０】
股部４は、透液性のトップシート４１と不透液性のバックシート４２との間に、吸収体４３を挟み込んで構成されている。吸収体４３は、所定の横幅を有し、中股部４ｃを中心にして前後方向に帯状に広がっている。股部４の内面側における吸収体４３の左右両側には、股部４の延設方向に沿って延びる起立部４４ａ，４４ｂが設けられている。
【００５１】
例えば、トップシート４１は透液性の不織布等により構成され、バックシート４２は撥水性不織布等により構成される。また、吸収体４３は、例えば、粉砕したパルプ繊維やセルロース繊維等の親水性繊維集合層に粒状の高分子吸収体を混合した塊をティッシュペーパーなどの紙シート又は透液性不織布シート等の被覆シートで包み、所定形状に成形されたものである。
【００５２】
トップシート４１及びバックシート４２の吸収体４３と重ならない部分は、互いに対向する面同士が接着剤、例えばホットメルト接着剤によって互いに接合されている。より好ましくは、図８に示すように、トップシート４１の横幅は、吸収体４３の肌面側を覆い、かつバックシート４２の横幅よりも若干狭く設定され、トップシート４１の吸収体４３を超えて前後左右に張り出した部分が、接着剤、例えばホットメルト接着剤によりバックシート４２と接合されている。バックシート４２におけるトップシート４１の左右両側に張り出した部分の肌面側には、起立部４４ａ，４４ｂを構成する左右のサイドシート４５ａ，４５ｂが接着剤、例えばホットメルト接着剤によって接合されている。
【００５３】
また、サイドシート４５ａ，４５ｂの前後方向の両端縁は、股部４の前後方向の両端縁に接着剤６０、例えばホットメルト接着剤により接合されている。サイドシート４５ａ，４５ｂの左右方向内方側縁部は、前後方向に伸びる弾性部材４６を包み込むようにして、封止部４７にて熱溶着（又は超音波溶着）等により固定されている。起立部４４ａ，４４ｂは、弾性部材４６の収縮力によりその左右方向内方側縁部が縮められ、これによって図８に示すように着用者の肌に押し付けられる方向に起立する。
【００５４】
また、本実施形態では、図５に示すように、股部４における前腹部２及び後背部３の腰回り部３ａと重なる重複部分において、左右の縁部を傾斜辺４８ａ，４８ｂ，４９ａ，４９ｂとし、その横幅を前後方向の端縁側に向けて徐々に減少させている。
【００５５】
この傾斜辺４８ａ，４８ｂにより、使い捨てパンツ１を上げ下げする際に、前股部２ａが引っ掛かってめくれたり、折れ曲がったり、着用者の肌に影響を及ぼすのを防止し、スムーズに上げ下げすることができる。
【００５６】
また、通常、後背部３と股部４とが重なる領域については、後背部３の収縮力が弱まる傾向にあるが、前記傾斜辺４９ａ，４９ｂによるトリム領域を形成することにより、後背部３の伸縮部分の面積が後背部３の上側に向けて徐々に増えてゆき、これによって後背部３が着用者の後背部にフィットしやすくなる。
【００５７】
なお、股部４の構成の変形例として、吸収体４３をシート４１，４２の間に挟み込むのではなく、吸収体４３をシート４２の肌面側に貼着し、シート４１を省略する構成としてもよい。あるいは、吸収体４３の前後の端部にシートを接合したものを股部４として用いるようにしてもよく、大型の吸収体４３を用いてその吸収体４３を股部４として用い、シート４１，４２を省略するようにしてもよい。
【００５８】
＜後背部＞
後背部３は、図３ないし図６に示すように、展開すると略矩形の左右下側の角を略斜めに切り落としたような形態を有し、着用者の背面側の腰回り部から臀部にかけた部分にあてがわれる。このため、この後背部３は、着用者の背面側の腰回り部に主に位置する平面視略横長帯状の腰回り部３ａと、その腰回り部３ａの下側に連なり着用者の臀部に主に位置する平面視略台形状の臀部３ｂとを備えている。腰回り部３ａの上縁部１３には、ウエスト用弾性部材５１が左右方向に伸張された状態で取り付けられており、腰回り部３ａのそれ以外の領域には、ボディ用弾性部材５２が左右方向に伸張された状態で取り付けられている。後背部３の左斜め下の傾斜状の縁部１５ａには、脚用弾性部材５３ａが縁部１５ａに沿って伸張された状態で取り付けられており、後背部３の右斜め下の傾斜状の縁部１５ｂには、脚用弾性部材５３ｂが縁部１５ｂに沿って伸張された状態で取り付けられている。これらの弾性部材５１，５２，５３ａ，５３ｂの収縮、伸張により後背部３が着用者の後背部及び臀部にフィットしやすくなっている。
【００５９】
特に、後背部３の臀部３ｂは、下側に向けて横幅が徐々に狭くなる構成とされているとともに、その左右の傾斜状の縁部１５ａ，１５ｂに脚用弾性部材５３ａ，５３ｂが設けられているため、脚用弾性部材５３ａ，５３ｂの収縮力により縁部１５ａ，１５ｂが縮められると、臀部３ｂが着用者の臀部にフィットしやすくなっている。
【００６０】
なお、脚用弾性部材５３ａ，５３ｂは、臀部３ｂの左右の傾斜状の縁部１５ａ，１５ｂ及び下縁部１５ｃに沿って連続的に臀部３ｂに取り付けられた後、少なくとも股部４の吸収体４３と重なる部分５４（図６参照）について、弱化処理が施されている。弱化処理とは、その部分５４の弾性部材を切断したり、収縮力を弱める処理を行う等により、ノーテンション状態とすることである。これによって、脚用弾性部材５３ａ，５３ｂの収縮力によって吸収体４３に不所望な歪み等が生じ、その吸収機能が低下するのが防止される。
【００６１】
＜その他の構成及び各部の材料等＞
なお、前腹部２に設ける左右の弾性部材１９ａ，１９ｂ、弾性部材２０ａ，２０ｂ及び弾性部材２１ａ，２１ｂについては、前記脚用弾性部材５３ａ，５３ｂの場合と同様に、弾性部材２０ａ，２０ｂ，２１ａ，２１ｂを中前腹部２ｃを介して左右方向に連続的に前腹部２に設けた後、弾性部材２０ａ，２０ｂ，２１ａ，２１ｂの中前腹部２ｃに位置する部分について、弱化処理を施すのが好ましい。
【００６２】
また、付着片２２ａ，２２ｂの材料構成としては、不織布、織布、編布、プラスチップ材から適宜選択できる。中でも、スパンボンド法、エアースルー法、ポイントボンド法、メルトブロー法及びエアレイド法のうちの１つ又は複数の製法の組み合わせによって製造される不織布が好ましい。さらに、目付３０〜１００ｇ／ｍ2で、スパンボンド法若しくは、スパンボンド法とメルトブロー法とを組み合わせたＳＭＳ法により製造された不織布が強度の点から好ましい。最も好ましいのは、目付５０〜８５ｇ／ｍ2でスパンボンド法により製造された不織布である。材質としては、ポリプロピレン、ポリエチレン、ポリエステル、ポリアミド等の合成繊維、パルプ、絹等の天然繊維から適宜選択できるが、好ましくはポリプロピレン、ポリエチレン、ポリエステルといった合成繊維が利用でき、中でもポリプロピレン、ポリエステル繊維を主成分とするものは強度があり、好適である。最も好ましいのは、ポリエステル繊維である。
【００６３】
また、弾性部材１９ａ，１９ｂ，２０ａ，２０ｂ，２１ａ，２１ｂ，４０ａ，４０ｂ，４６，５３ａ，５３ｂとしては、通常使い捨てパンツに用いられる弾性伸縮材料（ポリウレタン糸、ポリウレタンフィルム、天然ゴム等）が用いられ、伸張状態でホットメルト接着剤、熱溶着、超音波溶着などの貼着手段によりパンツ１の所定部位に貼着される。
【００６４】
以上のように、本実施形態に係る使い捨てパンツ１は、パンツ、おむつの両機能を併有しているため、着用時の上げ下げが容易である。
【００６５】
また、左右の付着片２２ａ，２２ｂに上下に２股に分かれた２個の張出し部２５，２６が設けられているため、その２個の張出し部２５，２６を有効に利用してパンツ１の止着を行うことにより、パンツ１の形状や各部の締め付け力を着用者の体形に応じて微妙に調節することができ、着用者の体形へのフィット性の向上が図れる。
【００６６】
また、左右の付着片２２ａ，２２ｂの本体部２４に設けられた切込み３０により、各付着片２２ａ，２２ｂにおける各張出し部２５，２６の止着時の止着位置等の自由度をより拡大することができ、その結果、着用者の体形へのフィット性のさらなる向上が図れる。例えば、切込み３０の間を広げるようにして、各付着片２２ａ，２２ｂの張出し部２５，２６をその上下間隔を広げて付着部２３に付着させることができる。
【００６７】
また、分割ラインとして切込み３０が設けれているため、止着時にユーザがわざわざ分割ラインの破断作業等を行う必要がなく、止着作業が容易に行える。
【００６８】
また、付着部２３が中前腹部２ｃにおける形成領域Ａ１内に略面状に連続的に設けられているため、左右の付着片２２ａ，２２ｂを形成領域Ａ１内の任意の位置に付着させることができ、止着の態様の自由度が高い。
【００６９】
また、付着部２３を形成する形成領域Ａ１の縦幅Ｗ１を左右の付着片２２ａ，２２ｂの縦寸法Ｌ１とほぼ等しく設定しているため、付着部２３を必要かつ十分な範囲に形成することができ、付着部２３を形成するためのコストを抑制することができる。
【００７０】
＜変形例＞
本実施形態の変形例として、付着片２２ａ，２２ｂに切込み３０を設ける代わりに、図９に示すように、ミシン目５９を設けるようにしてもよい。この場合、使い捨てパンツ１の使用時に、ユーザが付着片２２ａ，２２ｂのミシン目５９を破断するか否かを選択することができ、ユーザの要求に幅広く対応することができる。
【００７１】
＜第２実施形態＞
図１０及び図１１を参照して、本発明の第１実施形態に係る使い捨てパンツ７１について説明する。この使い捨てパンツ７１は、左右の付着片７２ａ，７２ｂ，７３ａ，７３ｂの形成形態及びその関連部分が上述の使い捨てパンツ１と異なるのみであり、パンツ１と共通する部分については同一の参照符号を付して説明を省略する。
【００７２】
本実施形態に係る使い捨てパンツ７１では、図１０に示すように、左前腹部２ａには２個の付着片７２ａ，７３ａが上下に間隔をあけて設けられている。また、右前腹部２ｂにも、２個の付着片７２ｂ，７３ｂが上下に間隔をあけて設けられている。各付着片７２ａ，７２ｂ，７３ａ，７３ｂは、前記付着部２９が設けられた本体部２４と、前記付着部２７が設けられた張出し部２５とを備えている。張出し部２５の先端部はつまみ部３１となっている。
【００７３】
このような構成により、つまみ部３１をつまんで各付着片７２ａ，７２ｂ，７３ａ，７３ｂを操作することにより、付着片７２ａ，７２ｂ，７３ａ，７３ｂを付着部２３に対して着脱することができるようになっている。
【００７４】
これに対応して、付着部２３が設けられる形成領域Ａ１の縦幅Ｗ２が、上側の付着片７２ａ，７２ｂの上端と下側の付着片７３ａ，７３ｂの下端との間の幅寸法Ｌ２とほぼ等しく設定されている。形成領域Ａ１の横幅Ｗ２については、前記第１実施形態の場合と同様である。
【００７５】
以上のように、本実施形態においても、付着片７２ａ，７２ｂ，７３ａ，７３ｂの形成形態に関連する点を除いて、上述の第１実施形態の場合とほぼ同様な効果が得られる。
【００７６】
また、本実施形態では、上下に間隔をあけて左右に２個ずつ設けられた付着片７２ａ，７２ｂ，７３ａ，７３ｂを有効に利用してパンツ１の止着を行うことにより、パンツ１の形状や各部の締め付け力を着用者の体形に応じて微妙に調節することができ、着用者の体形へのフィット性の向上が図れる。例えば、付着片７２ａ，７２ｂ，７３ａ，７３ｂを図１０に示すように左右方向に真っ直ぐに止着するだけでなく、付着片７２ａ，７２ｂ，７３ａ，７３ｂを図１１に示すように中前腹部２ｃの中央に寄せて止着することなども可能である。
【００７７】
また、付着部２３を設ける形成領域Ａ１の縦幅Ｗ２が上側の付着片７２ａ，７２ｂの上端と下側の付着片７３ａ，７３ｂの下端との間の幅寸法Ｌ２とほぼ等しく設定しているため、付着部２３を必要かつ十分な範囲に形成することができ、付着部２３を形成するためのコストを抑制することができる。
【図面の簡単な説明】
【００７８】
【図１】本発明の第１実施形態に係る使い捨てパンツの正面図である。
【図２】図１の使い捨てパンツの右付着片を破断した図である。
【図３】図１の使い捨てパンツの右破断部を破断して右前腹部を展開した状態を示す図である。
【図４】図３の使い捨てパンツの左破断部を破断して左前腹部を展開した状態を示す図である。
【図５】図４の使い捨てパンツの股部を展開した状態を示す図である。
【図６】図５の使い捨てパンツを図５の反対側から見た図である。
【図７】図１の使い捨てパンツのＣ１−Ｃ１線に沿った部分の断面図である。
【図８】図５の使い捨てパンツのＣ２−Ｃ２線に沿った部分の断面図である。
【図９】図１の使い捨てパンツの変形例の要部構成を示す図である。
【図１０】本発明の第２実施形態に係る使い捨てパンツの正面図である。
【図１１】図１０の使い捨てパンツの止着状態の一例を示す図である。
【符号の説明】
【００７９】
１  使い捨てパンツ、２  前腹部、２ａ  左前腹部、２ｂ  右前腹部、２ｃ  中前腹部、３  後背部、３ａ  腰回り部、３ｂ  臀部、４  股部、４ａ  前股部、４ｂ  後股部、４ｃ  中股部、１７ａ  左破断部、１７ｂ  右破断部、１８  接合部分、１９ａ，１９ｂ  ウエスト用弾性部材、２０ａ，２０ｂ  脚用弾性部材、２１ａ，２１ｂ  ボディ用弾性部材、２２ａ，２２ｂ  付着片、２３  付着部、２４  本体部、２５，２６  張出し部、２７〜２９  付着部、３０  切込み、３１  つまみ部、４０ａ，４０ｂ  脚用弾性部材、４１  トップシート、４２  バックシート、４３  吸収体、４４ａ，４４ｂ  起立部、４５ａ，４５ｂ  サイドシート、４６  弾性部材、５１  ウエスト用弾性部材、５２  ボディ用弾性部材、５３ａ，５３ｂ  脚用弾性部材、５７  内層シート、５８  外層シート、５９  ミシ目、７１  使い捨てパンツ、７２ａ，７２ｂ，７３ａ，７３ｂ  付着片
【図１】
2006034402.tif 000003
【図２】
2006034402.tif 000004
【図３】
2006034402.tif 000005
【図４】
2006034402.tif 000006
【図５】
2006034402.tif 000007
【図６】
2006034402.tif 000008
【図７】
2006034402.tif 000009
【図８】
2006034402.tif 000010
【図９】
2006034402.tif 000011
【図１０】
2006034402.tif 000012
【図１１】
2006034402.tif 000013